(57)【要約】      （修正有）【課題】一つの仕様により、発光体の出射角度を大きく変えることが可能な発光式道路鋲を提供する。【解決手段】地中に埋設されるベース部材と、前記ベース部材を覆う、上面が道路面とほぼ同一面に設置される光透過性樹脂材製の本体カバーと、前記ベース部材内部から前記本体カバーを介して外部に光を発する発光体と、前記ベース部材側に保持されている回路基板とを備えた発光式道路鋲において、前記本体カバーと前記発光体とが一体となったユニットが前記ベース部材側から着脱自在になっている構成を備える発光式道路鋲。【選択図】図１
0003131996.tif 000002
【実用新案登録請求の範囲】
【請求項１】
地中に埋設されるベース部材（１）と、前記ベース部材（１）を覆う、上面が道路面とほぼ同一面に設置される光透過性樹脂材製の本体カバー（２）と、前記ベース部材（１）内部から前記本体カバー（２）を介して外部に光を発する発光体（３）と、前記ベース部材（１）側に保持されている回路基板（４）とを備えた発光式道路鋲において、前記本体カバー（２）と前記発光体（３）とが一体となったユニット（１０）が前記ベース部材（１）側から着脱自在になっていることを特徴とする発光式道路鋲。
【請求項２】
前記ユニット（１０）が同一形状の2部材からなることを特徴とする請求項１記載の発光式道路鋲。
【請求項３】
前記ユニット（１０）が１８０度回転して取り付け可能な形状であることを特徴とする請求項１または２記載の発光式道路鋲。
【請求項４】
前記発光体（３）と前記回路基板（４）とがソケット（４１）により電気的接続が行われていることを特徴とする請求項１〜３いずれか一項に記載の発光式道路鋲。
【請求項５】
前記発光体（３）がＬＥＤであることを特徴とする請求項１〜４いずれか一項記載の発光式道路鋲。
【請求項６】
前記発光体（３）の発光方向が同一方向であることを特徴とする請求項２〜５いずれか一項記載の発光式道路鋲。
【請求項７】
前記発光体（３）の発光方向が反対方向であることを特徴とする請求項２〜５いずれか一項記載の発光式道路鋲。
【請求項８】
前記発光体（３）の発光方向が動路面と直行する方向であることを特徴とする請求項２〜５いずれか一項記載の発光式道路鋲。
【考案の詳細な説明】
【技術分野】
【０００１】
本考案は、発光式道路鋲に関する。
また、本考案は、車道のセンターライン、車線変更、分離帯等に用いて有用な発光式道路鋲に関する。
【０００２】
更に、本考案は、メンテナンスが容易で、多用途に対応可能な発光式道路鋲に関する。
【背景技術】
【０００３】
従来、この種蓄光機能を備えた発光式道路鋲としては、特開平１０−１６８８３８号公報に記載のものが知られている。
【０００４】
特開平１０−１６８８３８号公報に記載の発光式道路鋲は、カーブ地点における発光ダイオードの光の出射角度を一定角度修正できても、光の出射方向を大きく変えることは出来なかった。
このため、対向車線用に使用するものと、一方通行車線用に使用するものと別仕様で作成する必要が有った。
【０００５】
また、公園、アミューズメント施設、駅ホーム等へ設置する場合、発光色を変えたり、発光角度を中央方向、垂直方向等に変えなければならず、それぞれに対応した発光式道路鋲を準備する必要があった。
更に、発光体の劣化・損傷等によるメンテナンスにも、多くの手間と費用がかかる問題を惹起していた。
【０００６】
【特許文献１】特開平１０−１６８８３８号公報
【考案の開示】
【考案が解決しようとする課題】
【０００７】
本考案は、一つの仕様により、発光体の出射角度を大きく変えることが可能な発光式道路鋲を提供することである。
【課題を解決するための手段】
【０００８】
本考案の発光式道路鋲は、地中に埋設されるベース部材と、前記ベース部材を覆う、上面が道路面とほぼ同一面に設置される光透過性樹脂材製の本体カバーと、前記ベース部材内部から前記本体カバーを介して外部に光を発する発光体と、前記ベース部材側に保持されている回路基板とを備えた発光式道路鋲において、前記本体カバーと前記発光体とが一体となったユニットが前記ベース部材側から着脱自在になっていることを特徴とする。
【考案の効果】
【０００９】
本考案は、以下に記載されるような効果を奏する。
請求項１記載の考案の発光式道路鋲によれば、ユニット単位で交換することが可能なため、各種仕様に対応可能であると共に、メンテナンスが容易である。
【００１０】
また、請求項２記載の考案の発光式道路鋲によれば、左右のユニットを交換するがけで、多用途に対応できる。
更に、請求項３記載の考案の発光式道路鋲によれば、反対方向への出射が簡単に行える。
【００１１】
更に、請求項４記載の考案の発光式道路鋲によれば、ユニットと回路基板側との電気的接続が簡単に行える。
また、請求項５記載の考案の発光式道路鋲によれば、消費電力が少なくてすむ。
また、請求項６記載の考案の発光式道路鋲によれば、一方通行誘導に最適である。
【００１２】
更に、請求項７記載の考案の発光式道路鋲によれば、対面通行誘導に最適である。
更に、請求項８記載の考案の発光式道路鋲によれば、アミューズメント施設、公園等に最適である。
【考案を実施するための最良の形態】
【００１３】
以下、本考案を実施するための最良の形態について説明する。
図１乃至図８に基づき考案を実施するための最良の形態について説明する。
【００１４】
この種発光式道路鋲は、地中に埋設されるベース部材１と、このベース部材１を覆う、上面が道路面とほぼ同一面に設置される光透過性樹脂材製の本体カバー２と、ベース部材１内部から本体カバー２を介して外部に光を発する発光体３と、ベース部材１側に保持されている回路基板４とを備える構成であって、本体カバー２と発光体３とが一体となったユニット１０がベース部材１側から着脱自在になっている。
ベース部材１は、アルミ合金等で形成された略円筒形状を呈しており、道路面に掘られた穴に、接着剤を利用して固定・埋設される。
また、本体カバー２は、ベース部材１の段部と外周壁との間に嵌合され、固定用ボルト２１によりベース部材１に固定されている。
この本体カバー２の下面とベース部材１の段部との間には、ガスケット５が挟持されている。このことにより、外部から回路基板４側への水の侵入を効果的に防止できる。
【００１５】
更に、ベース部材１の下方内側には、回路基板４に電気を供給するためのケーブル６とこのケーブル６と回路基板４とを接続するコネクタ７とが配置されている。
また、ユニット１０は、同一形状のものが左右に2個配置され、4本の固定ボルト２１により、それぞれベース部材1側に着脱自在に保持されている。
このユニット１０は、透明のポリカーボネート材等の光透過性樹脂材料で製作された本体カバー２と、ＬＥＤ等の発光体３とが一体として構成されている。
そして、発光体３と回路基板４との接続はソケット４１により、電気的接続が容易に行える態様となっている。
更に、発光体３は、ＬＥＤであることが望ましい。その中でも、青色ＬＥＤが好ましい。
【００１６】
また、ユニット１０が１８０度回転して取り付け可能な形状であるため、図上右側のユニット１０を１８０度回転して取り付け直すことにより、図３、４に示す様に一方の方向にのみ出射する仕様とできる。
また、図1のユニット１０の左右両方共１８０度回転して取り付け直すことにより、図５、６に示す様に、互いの光が交差する方向の出射とすることも容易に行うことが出来る。
【００１７】
更に、ユニット１０のみを交換することにより、図７、８に示す様に、道路面と直行する方向に出射することも可能である。
更にまた、発光色を変えたい時においても、ユニット単位で交換することで、各種の色の仕様に対応できる。
【００１８】
また、本考案は上述の発明を実施するための最良の形態に限らず本考案の要旨を逸脱することなくその他種々の構成を採り得ることはもちろんである。
【図面の簡単な説明】
【００１９】
【図１】発光式道路鋲にかかる発明の実施の形態を示す平面図である。
【図２】図１のＡ−Ａ断面図である。
【図３】発光式道路鋲にかかる発明の他の実施の形態を示す平面図である。
【図４】図３のＢ−Ｂ断面図である。
【図５】発光式道路鋲にかかる発明の他の実施の形態を示す平面図である。
【図６】図５のＣ−Ｃ断面図である。
【図７】発光式道路鋲にかかる発明の他の実施の形態を示す平面図である。
【図８】図３のＤ−Ｄ断面図である。
【符号の説明】
【００２０】
１  ベース部材
２  本体カバー
３  発光体
４  回路基板
５  ガスケット
６  ケーブル
７  コネクタ
41  ソケット
【図１】
0003131996.tif 000003
【図２】
0003131996.tif 000004
【図３】
0003131996.tif 000005
【図４】
0003131996.tif 000006
【図５】
0003131996.tif 000007
【図６】
0003131996.tif 000008
【図７】
0003131996.tif 000009
【図８】
0003131996.tif 000010